(57)【要約】【課題】  光無線通信システムにおいて、簡単な構成でリモコン信号を光受信装置から光送信装置に送信する。【解決手段】  光送信装置４は映像供給部１からの映像・音声信号を光信号に変換して送出し、光受信装置５は光送信装置４からの光信号を受信して映像・音声信号を復元し、映像表示部２へ伝送する。この光通信の光軸調整用のパイロット光Ｐが、光受信装置５から光送信装置４に対して送信される。映像表示部２側には、映像供給部１を制御するためのワイヤレスリモコン装置１７からのリモコン信号Ｒを受信するリモコン信号受信部２ａが設けらる。光受信装置５は、リモコン信号受信部２ａが受信したリモコン信号Ｒにより光軸調整用のパイロット光Ｐを変調して光送信装置４に送信し、光送信装置４はこのリモコン信号を復元して映像供給部１に出力する。【選択図】        図１
2004260811.tif 000002
【特許請求の範囲】
【請求項１】
一方の光無線通信装置は、光軸調整用のパイロット光を送信するパイロット光送信装置を有し、他方の光無線通信装置は、前記パイロット光を受信するパイロット光受信装置を有し、前記パイロット光受信装置が受信した前記パイロット光に応じて光軸調整が行われる光無線通信システムにおいて、
前記パイロット光受信装置を有する光無線通信装置、及び前記パイロット光受信装置を有する光無線通信装置に接続された機器の内の少なくとも一方を制御するリモコン装置から送信されるリモコン信号を受信するリモコン信号受信手段と、前記リモコン信号受信手段が受信した前記リモコン信号により前記パイロット光を変調し、その変調したパイロット光を前記パイロット光送信装置に供給する変調手段とを、前記パイロット光送信装置を有する光無線通信装置側に設けるとともに、
前記パイロット光受信装置により受信されたパイロット光から前記リモコン信号を復元し、復元したリモコン信号を前記パイロット光受信装置を有する光無線通信装置、及び前記パイロット光受光装置を有する光無線通信装置に接続された機器の内の少なくとも一方に供給する復元手段を、前記パイロット光受信装置を有する光無線通信装置側に設けたことを特徴とする光無線通信システム。
【請求項２】
映像供給部側に設けられた光送信装置から映像表示部側に設けられた光受信装置に対して映像信号を光信号で送信し、前記光受信装置により受信された前記映像信号による映像を前記映像表示部に表示する光無線通信システムであり、前記光受信装置と前記光送信装置との光軸調整用のパイロット光を送信するパイロット光送信装置を前記映像表示部側に有するとともに、前記パイロット光を受信するパイロット光受信装置を前記映像供給部側に有し、前記パイロット光受信装置が受信した前記パイロット光に応じて光軸調整が行われる光無線通信システムにおいて、
前記映像供給部及び前記光送信装置の内の少なくとも一方を制御するリモコン装置から送信されるリモコン信号を受信するリモコン信号受信手段と、前記リモコン信号受信手段が受信した前記リモコン信号により前記パイロット光を変調し、その変調したパイロット光を前記パイロット光送信装置に供給する変調手段とを、前記映像表示部側に設けるとともに、
前記パイロット光受信装置により受信されたパイロット光から前記リモコン信号を復元し、復元したリモコン信号を前記映像供給部及び前記光送信装置の内の少なくとも一方に供給する復元手段を、前記映像供給部側に設けたことを特徴とする光無線通信システム。
【請求項３】
一方の光無線通信装置は、光軸調整用のパイロット光を送信するパイロット光送信装置を有し、他方の光無線通信装置は、前記パイロット光を受信するパイロット光受信装置を有し、前記パイロット光受信装置が受信した前記パイロット光に応じて光軸調整が行われる光無線通信システムにおいて、
前記パイロット光送信装置を有する光無線通信装置、及び前記パイロット光送信装置を有する光無線通信装置に接続された機器の内の少なくとも一方の動作状態に関する情報により前記パイロット光を変調し、その変調したパイロット光を前記パイロット光送信装置に供給する変調手段を、前記パイロット光送信装置を有する光無線通信装置側に設けるとともに、
前記パイロット光受信装置により受信されたパイロット光から前記動作状態に関する情報を復元し、復元した動作状態に関する情報を前記パイロット光受信装置を有する光無線通信装置、及び前記パイロット光受信装置を有する光無線通信装置に接続された機器の内の少なくとも一方に制御情報として供給する復元手段を、前記パイロット光受信装置を有する光無線通信装置側に設けたことを特徴とする光無線通信システム。
【請求項４】
映像供給部側に設けられた光送信装置から映像表示部側に設けられた光受信装置に対して映像信号を光信号で送信し、前記光受信装置により受信された前記映像信号による映像を前記映像表示部に表示する光無線通信システムであり、前記光受信装置と前記光送信装置との光軸調整用のパイロット光を送信するパイロット光送信装置を前記映像表示部側に有するとともに、前記パイロット光を受信するパイロット光受信装置を前記映像供給部側に有し、前記パイロット光受信装置が受信した前記パイロット光に応じて光軸調整が行われる光無線通信システムにおいて、
前記映像表示部及び前記光受信装置の内の少なくとも一方の動作状態に関する情報により前記パイロット光を変調し、その変調したパイロット光を前記パイロット光送信装置に供給する変調手段を、前記映像表示部側に設けるとともに、
前記パイロット光受信装置により受信されたパイロット光から前記動作状態に関する情報を復元し、復元した動作状態に関する情報を前記映像供給部及び前記光送信装置の内の少なくとも一方に制御情報として供給する復元手段を、前記映像供給部側に設けたことを特徴とする光無線通信システム。
【発明の詳細な説明】
【技術分野】
【０００１】
本発明は、例えば映像供給部と映像表示部が分離した構成に対して光無線で映像信号を送信するための光無線通信システムに関する。
【背景技術】
【０００２】
映像供給部と映像表示部が分離した従来の分離型映像表示装置を図４に示し、映像・音声信号は映像供給部１から映像表示部２へ専用接続ケーブル３によって伝送される。分離型映像表示装置の一例として、家庭用プラズマテレビでは、この接続ケーブルは、現状、システムを購入した際、長さ３ｍ程度のものが付属品として同梱されており、それ以上の長さのものは別途購入する必要がある場合が多い。また、ケーブルの直径は１０ｍｍ程度であり、弾性を有するため、ケーブルを引き回す際には注意が必要である。
【０００３】
従来の分離型映像表示装置では、表示部が薄型で壁面にかけることが可能であっても、壁面に比較的太いケーブルを這わせる必要があり、美観を損ねることがある。また、ケーブルによって映像供給部（チューナーなど）の設置場所にも制限があり、映像供給部と映像表示部を分離する利点を生かしきれていない。伝送手段として、電波無線を利用することも考えられるが、伝送速度に制限が有り、信号を圧縮する必要がある。
【０００４】
そこで、図５及び下記の特許文献１のように、伝送手段として、映像供給部１側に設置された光送信装置４から、映像・音声信号に応じて変調した光信号を出射し、この出射された光信号を、映像表示部２側に設置された光受信装置５で受信・復調することにより映像・音声信号を復元する光無線装置が考えられる。光送信装置４の発光手段としてレーザダイオードを用いた場合、高速な伝送が可能であるため、ハイビジョンの映像信号も非圧縮で伝送が可能となる。
また、光無線通信システムの光軸調整方法として、特許文献２に示すように、通信のための光とは別のガイド光（パイロット光）を用いる方法がある。
【特許文献１】特開２０００−２２６３２号公報（図１）
【特許文献２】特許第３０５９８７０号
【発明の開示】
【発明が解決しようとする課題】
【０００５】
映像供給部と映像表示部が一体化した一般的なテレビジョン受像機においては、映像供給部に対する操作であるチャンネル変更・音量調整などの操作は、リモコン装置を映像表示部に向けて行えばよい。
これに対して、図５に示したように、映像供給部１と映像表示部２とを別体化し、映像供給部１から映像表示部２に対する映像・音声信号の一方向の伝送を無線化した場合、映像供給部２に対する操作であるチャンネル変更・音量調整などの操作は、映像表示部２の方向ではなく、映像供給部１の方向にリモコン装置を向けて行わなければならない。
しかしながら、一般ユーザーには、テレビジョン受像機におけるリモコン装置を映像表示部に向けて使用する使用法が定着しており、一般ユーザーは、図５に示すシステムに対しても、リモコン装置を映像表示部２に向けて操作してしまうことが多く、映像表示部２と異なる方向に設置された映像供給部１にリモコン装置を向けて操作するのでは、使い勝手が悪いという問題点がある。
この問題を解決するために、映像表示部２側にリモコン信号受光部を設け、受光したリモコン信号を光受信装置５から光送信装置４を経由して映像供給部１に送信する方法が考えられるが、光受信装置５にリモコン信号送信手段、光送信装置４側にリモコン信号受信手段が全く新たに必要となり、装置の複雑化、高コスト化を招く等の問題が生じる。
【０００６】
また、映像送信側である映像供給部１や光送信装置４において、映像受信側である光受信装置５や映像表示部２が正常に動作しているか否かなどを確認するためには、動作状態に関する情報を光受信装置５から光送信装置４に送信する必要があり、光受信装置５に動作状態に関する情報の送信手段、光送信装置４側に動作状態に関する情報の受信手段が全く新たに必要となり、装置の複雑化、高コスト化を招く等の問題が生じる。
【０００７】
本発明は上記の問題点に鑑み、簡単な構成で、リモコン信号を光受信装置から光送信装置に送信することができる（また、簡単な構成で、リモコン信号を一方の光無線通信装置から他方の光無線通信装置に送信することができる）光無線通信システムを提供することを目的とする。
さらに、本発明は上記の問題点に鑑み、簡単な構成で、映像受信側である光受信装置や映像表示部が正常に動作しているか否かなどの動作状態に関する情報を光受信装置から光送信装置に送信することができる（また、簡単な構成で、一方の光無線通信装置の動作状態に関する情報を、一方の光無線通信装置から他方の光無線通信装置に送信することができる）光無線通信システムを提供することを目的とする。
【課題を解決するための手段】
【０００８】
そこで、上記課題を解決するために本発明は、下記のシステムを提供するものである。
［１］  一方の光無線通信装置(5)は、光軸調整用のパイロット光(P)を送信するパイロット光送信装置(16)を有し、他方の光無線通信装置(4)は、前記パイロット光(P)を受信するパイロット光受信装置(14)を有し、前記パイロット光受信装置(14)が受信した前記パイロット光(P)に応じて光軸調整が行われる光無線通信システムにおいて、
前記パイロット光受信装置(14)を有する光無線通信装置(4)、及び前記パイロット光受信装置(14)を有する光無線通信装置(4)に接続された機器(1)の内の少なくとも一方を制御するリモコン装置(17)から送信されるリモコン信号(R)を受信するリモコン信号受信手段(2a)と、前記リモコン信号受信手段(2a)が受信した前記リモコン信号(R)により前記パイロット光(P)を変調し、その変調したパイロット光(P)を前記パイロット光送信装置に供給する変調手段とを、前記パイロット光送信装置(16)を有する光無線通信装置側(5)に設けるとともに、
前記パイロット光受信装置(14)により受信されたパイロット光(P)から前記リモコン信号(R)を復元し、復元したリモコン信号(R)を前記パイロット光受信装置(14)を有する光無線通信装置(4)、及び前記パイロット光受光装置を有する光無線通信装置(4)に接続された機器(1)の内の少なくとも一方に供給する復元手段を、前記パイロット光受信装置(14)を有する光無線通信装置(4)側に設けたことを特徴とする光無線通信システム。
［２］  映像供給部(1)側に設けられた光送信装置(4)から映像表示部(2)側に設けられた光受信装置(5)に対して映像信号を光信号で送信し、前記光受信装置(5)により受信された前記映像信号による映像を前記映像表示部(2)に表示する光無線通信システムであり、前記光受信装置(5)と前記光送信装置(4)との光軸調整用のパイロット光(P)を送信するパイロット光送信装置(16)を前記映像表示部(2)側に有するとともに、前記パイロット光(P)を受信するパイロット光受信装置(14)を前記映像供給部(1)側に有し、前記パイロット光受信装置(14)が受信した前記パイロット光(P)に応じて光軸調整が行われる光無線通信システムにおいて、
前記映像供給部(1)及び前記光送信装置(4)の内の少なくとも一方を制御するリモコン装置(17)から送信されるリモコン信号(R)を受信するリモコン信号受信手段(2a)と、前記リモコン信号受信手段(2a)が受信した前記リモコン信号(R)により前記パイロット光(P)を変調し、その変調したパイロット光(P)を前記パイロット光送信装置(16)に供給する変調手段とを、前記映像表示部(2)側に設けるとともに、
前記パイロット光受信装置(14)により受信されたパイロット光(P)から前記リモコン信号(R)を復元し、復元したリモコン信号(R)を前記映像供給部(1)及び前記光送信装置(4)の内の少なくとも一方に供給する復元手段を、前記映像供給部(1)側に設けたことを特徴とする光無線通信システム。
［３］  一方の光無線通信装置は、光軸調整用のパイロット光を送信するパイロット光送信装置を有し、他方の光無線通信装置は、前記パイロット光を受信するパイロット光受信装置を有し、前記パイロット光受信装置が受信した前記パイロット光に応じて光軸調整が行われる光無線通信システムにおいて、
前記パイロット光送信装置を有する光無線通信装置、及び前記パイロット光送信装置を有する光無線通信装置に接続された機器の内の少なくとも一方の動作状態に関する情報により前記パイロット光を変調し、その変調したパイロット光を前記パイロット光送信装置に供給する変調手段を、前記パイロット光送信装置を有する光無線通信装置側に設けるとともに、
前記パイロット光受信装置により受信されたパイロット光から前記動作状態に関する情報を復元し、復元した動作状態に関する情報を前記パイロット光受信装置を有する光無線通信装置、及び前記パイロット光受信装置を有する光無線通信装置に接続された機器の内の少なくとも一方に制御情報として供給する復元手段を、前記パイロット光受信装置を有する光無線通信装置側に設けたことを特徴とする光無線通信システム。
［４］  映像供給部側に設けられた光送信装置から映像表示部側に設けられた光受信装置に対して映像信号を光信号で送信し、前記光受信装置により受信された前記映像信号による映像を前記映像表示部に表示する光無線通信システムであり、前記光受信装置と前記光送信装置との光軸調整用のパイロット光を送信するパイロット光送信装置を前記映像表示部側に有するとともに、前記パイロット光を受信するパイロット光受信装置を前記映像供給部側に有し、前記パイロット光受信装置が受信した前記パイロット光に応じて光軸調整が行われる光無線通信システムにおいて、
前記映像表示部及び前記光受信装置の内の少なくとも一方の動作状態に関する情報により前記パイロット光を変調し、その変調したパイロット光を前記パイロット光送信装置に供給する変調手段を、前記映像表示部側に設けるとともに、
前記パイロット光受信装置により受信されたパイロット光から前記動作状態に関する情報を復元し、復元した動作状態に関する情報を前記映像供給部及び前記光送信装置の内の少なくとも一方に制御情報として供給する復元手段を、前記映像供給部側に設けたことを特徴とする光無線通信システム。
【発明の効果】
【０００９】
以上説明したように本発明によれば、光送信装置が光受信装置に対して光軸を合わせるために光受信装置が送信するパイロット光をリモコン信号により変調して送信するようにしたので、簡単な構成でリモコン信号を光受信装置から光送信装置に（例えば、映像表示部側から映像供給部側に）送信することができる。これにより、映像表示部と映像供給部とが分離しており、離れた場所に設置されて使用される分離型の映像表示装置の使い勝手が大幅に改善される。
また、本発明によれば、光送信装置が光受信装置に対して光軸を合わせるために光受信装置が送信するパイロット光を、映像受信側である光受信装置や表示部が正常に動作しているか否かなどの情報により変調して送信するようにしたので、簡単な構成で映像受信側である光受信装置や表示部が正常に動作しているか否かなどの情報を光受信装置から光送信装置に送信することができ、動作状態に応じたより的確な制御が行える。
さらに、本発明によれば、簡単な構成で、一方の光無線通信装置から、他方の光無線通信装置を制御する信号を、他方の光無線通信装置に伝送することが可能となる。
【発明を実施するための最良の形態】
【００１０】
＜第１の実施の形態＞
以下、図面を参照して映像供給部と映像表示部とを別体化し分離型映像表示装置における本発明の実施の形態について説明する。図１は本発明に係る光無線通信システムの第１の実施の形態を示す構成図、図２は図１の光送信装置の主要部を示す構成図、図３は図１の光受信装置の主要部を示す構成図である。分離型映像表示装置の例としては、プラズマディスプレイ装置、液晶ディスプレイ装置、リアプロジェクター装置などが考えられる。
【００１１】
図１において、光送信装置４は映像供給部１からの映像・音声信号を光信号に変換して送出し、光受信装置５は光送信装置４からの光信号を受信して映像・音声信号を復元し、映像表示部２へ伝送する。この光通信のために、光受信装置５から光送信装置４に対して光軸調整用のパイロット光Ｐが送信され、光送信装置４はこのパイロット光Ｐを受光して光軸調整を行う。
【００１２】
また、映像表示部２側には、映像供給部１のワイヤレスリモコン装置１７からの、例えば赤外線のリモコン信号（リモコンの制御信号）Ｒを受信するリモコン信号受信部２ａが設けられている。そして、光受信装置５はリモコン信号受信部２ａが受信したリモコン信号Ｒにより上記の光軸調整用のパイロット光Ｐを変調してパイロット光送信部（後述の図３に示す広指向発光部１６）から送信する。光送信装置４はその変調されたパイロット光Ｐをパイロット光受信部（後述の図２に示す広指向受光部１４）で受信し、受信したパイロット光Ｐからリモコン信号Ｒを復元して映像供給部１に出力する。なお、リモコン信号受信部２ａは映像表示部２の代わりに、光受信装置５に設けてもよい。
【００１３】
光送信装置４は図２（ａ）に示すように、概略的に映像供給部１からの映像・音声信号を光信号に変換して光受信装置５に送出するための発光部８と、光受信装置５により送信された光信号（光軸調整用のパイロット光Ｐ）を電気信号に変換する広指向受光部１４（パイロット光受信部）を有する。発光部８はＬＥＤ、ＬＤ（レーザダイオード）などの発光素子６と、レンズなどの光学素子７を有し、広指向受光部１４は受光素子１２と、レンズなどの光学素子１３を有する。発光部８と広指向受光部１４は、図２（ｂ）に示すように一体で水平方向・垂直方向に矢印に示すように転回して光受信装置５の方向に自身を転向することが可能である。
【００１４】
光受信装置５は図３（ａ）に示すように、概略的に光送信装置４からの光信号を受光して映像・音声信号を復元し、映像表示部２に出力するための受光部１１と、リモコン信号受信部２ａが受信したリモコン信号Ｒにより上記の光軸調整用のパイロット光Ｐを変調して送信するための広指向発光部１６（パイロット光送信部）を有する。受光部１１はＰＤ（フォトダイオード）、ＡＰＤ（アバランシェフォトダイオード）などの受光素子９と、レンズなどの光学素子１０を有し、広指向発光部１６はＬＥＤなど広指向の光を送出する発光素子１５などを有する。受光部１１と広指向発光部１６は、図３（ｂ）に示すように一体で水平方向・垂直方向に矢印に示すように転回して光送信装置４の方向に自身を転向することが可能である。
【００１５】
上記構成において、光受信装置５を、光送信装置４のおおよその方向に向ける。光受信装置５の光指向発光部１６からは、光軸調整のためのパイロット光Ｐが送出される。光送信装置４は自身を転回しながら、広指向受光部１４で、光受信装置５の広指向発光部１６から送出される光信号（光軸調整用のパイロット光Ｐ）を探索し、光軸を一致させる。
広指向受光部１４の受光素子１２として４分割ＰＤを用いた場合の光軸調整方法の一例を、図６、７，８を参照し、説明する。
【００１６】
図６は光送信装置において、パイロット光による光軸調整を実現するための回路構成の一例を示すブロック図、図７は光軸調整の際の光送信装置の広指向受光部における光受信装置からのパイロット光のスポットの動きを示す説明図、図８はパイロット光による光軸調整の手順を示すフローチャートである。尚、パイロット光Ｐは一定周波数ｆ＿ｃで変調されている。
【００１７】
光受信装置５の項指向発光部１６からのパイロット光Ｐは、４分割ＰＤ１８におけるそれぞれのＰＤ（ＰＤ＿Ａ、Ｂ、Ｃ、Ｄ）において光―電気変換され、受光量に応じた振幅を有する電気信号（ＳＩＧ＿Ａ、Ｂ、Ｃ、Ｄ）となる（ステップＳ１）。ＳＩＧ＿Ａ、Ｂ、Ｃ、Ｄはアンプ１９、２０、２１、２２によってそれぞれ増幅され（ステップＳ２）、検波回路２４によってパイロット光Ｐの周波数成分ｆ＿ｃのみを抽出し（ステップＳ３）、レベル検出回路２５によって受光レベルをＤＣ値に変換される（ステップＳ４）。
【００１８】
図６ではマイコン・ＤＳＰなどのマイクロプロセッサ２６によってスイッチ２３を切り替え、ＳＩＧ＿Ａ、Ｂ、Ｃ、Ｄを順次に検波しているが、検波回路及びレベル検出回路をそれぞれ４つ設け、同時に検波を行っても良い。マイクロプロセッサ２６では、ＤＣ値として入力されたそれぞれのＰＤの受光レベルが等しくなるような位置、例えば、水平方向（Ｐａｎ）・垂直方向（Ｔｉｌｔ）に対向するＰＤ同士の受光レベルの差を算出し（ステップＳ５、Ｓ９）、その受光レベル差が０となる位置へ光送信装置４を転回させるようなｐａｎ、ｔｉｌｔ方向それぞれの駆動量を演算する（ステップＳ６、Ｓ１０）。演算されたそれぞれの移動量は、Ｄ／Ａコンバータ２７、２８によってアナログ信号に変換され、アクチュエータ駆動回路２９、３０へ出力される（ステップＳ７、１１）。
【００１９】
アクチュエータ駆動回路２９、３０は、駆動量に応じて、光送信装置４をｐａｎ、ｔｉｌｔ方向に転回する（ステップＳ８、１２）。４分割ＰＤ１８のそれぞれのＰＤの受光量が等しくなる位置、即ち、４分割ＰＤ１８の中心に、パイロット光Ｐが照射されている位置に転向することによって、光送信装置４は光受信装置５に対して光軸を合わせることが可能となる。
【００２０】
図７の場合、［１］のステップでは、まず水平方向に対向するＢ、ＤそれぞれのＰＤの受光量の差を演算し、差を０にする方向(図７では右方向)に、スポットが照射されるように、光送信装置４を水平方向に動かす。［２］のステップで垂直方向に対向するＡ、ＣのそれぞれのＰＤの受光量の差を演算し、差を０にする方向（図７では下方向）に、スポットが照射されるように、光送信装置４を垂直方向に動かす。
【００２１】
受光素子１２は４分割ＰＤに限定されるものではなく、受光素子１２として単体のＰＤを用いた場合には、光送信装置４は、自身を転回しながらパイロット光Ｐの受信の有無を判別し、パイロット光Ｐが受光可能な位置に停止する、という光軸調整方法が考えられ、また、受光素子１２をＣＣＤなどの二次元撮像素子とした場合は、瞬時にパイロット光Ｐの位置を特定し、その方向に光送信装置４を転向させる、という方法が可能となる。
【００２２】
ここで、映像供給部１と映像表示部２が分離した映像表示装置において、リモコン信号受信部２ａを映像表示部２に設けた場合、その操作による制御信号Ｒを、映像供給部１に伝送する必要がある。そこで、映像表示部２側に設置される光受信装置５の広指向発光部１６から送出される光軸調整のためのパイロット光Ｐを、ワイヤレスリモコンの制御信号Ｒによって変調することによって、光軸調整終了後、光送信装置４と光受信装置５の光軸が合った状態では、映像供給部１から映像表示部２への映像・音声信号の伝送、及び映像表示部２から映像供給部１へのワイヤレスリモコンの制御信号Ｒの伝送が可能となる。
【００２３】
図９は家電製品協会が推奨するリモコンの家電協フォーマットの信号の構成を示す。図９（ａ）は全体のフォーマット、（ｂ）はリーダ部、（ｃ）はビット構成、（ｄ）はトレーラ部、（ｅ）はリピートコードを示す。家電協フォーマットはリーダ部、カスタムコード部、カスタムコードのパリティ部、データ部から構成され、カスタムコード部は家電協に登録したコードを使用することになっており、データ部はバイト数と定義が自由に設定できる。
【００２４】
図１０は、光受信装置において、リモコンの制御信号Ｒによって光軸調整のためのパイロット光ＰをＡＳＫ変調方式で変調する回路構成の一例を示すブロック図である。この方式はリモコン制御信号Ｒを変調信号とし、リモコン信号Ｒに含まれる最高周波数より十分高い単一周波数を有する正弦搬送波Ａcosωtとの積を被変調波とするものである。ここでは変調方式としてＡＳＫ変調を用いているが、ＦＭ変調、ＰＭ変調など他の変調方式を用いても良い。また、制御信号Ｒそのものではなく、受信した制御信号Ｒから読み取った制御内容・及び他の情報を示す新たな信号を、映像表示装置内もしくは光受信装置内で生成し、前記信号によってパイロット光Ｐを変調しても良い。
【００２５】
図１１は、光送信装置において、受信したパイロット光ＰからＡＳＫ変調方式で変調されたリモコンの制御信号Ｒを復調する回路構成の一例を示すブロック図である。この方式は、受信した信号と、変調過程で失われた搬送波と同一周波数・同一位相を有する局部発振波との乗積を取ることにより復調を行う同期検波を行っている。ここでは、変調方式としてＡＳＫ変調を用いているが、ＦＭ変調、ＰＭ変調など他の変調方式を用いても良い。
【００２６】
＜第２の実施の形態＞
第１の実施の形態の分離型映像表示装置において、光軸調整の際、光受信装置５が映像・音声信号を伝送するために十分な光量を得られているかなどの調整の情報や、映像が表示されているかなどの映像表示部２の情報を信号として、光受信装置５の広指向発光部１６から送出される光軸調整のためのパイロット光Ｐを前記情報信号によって変調することによって、光軸調整の際、光受信装置５の受信状況などが光送信装置４に伝送され、より精密な光軸調整が可能となる。
【００２７】
また光軸調整終了後、光送信装置４と光受信装置５の光軸が合った状態では、映像供給部１から映像表示部２への映像・音声信号の伝送が可能となり、かつ、映像表示部２及び光受信装置５の状態を映像供給部１及び光送信装置４へ伝送することも可能となるため、映像表示部２側のトラブルに対して映像供給部１側で対処することができる。
【００２８】
＜第３の実施の形態＞
テレビジョン受像機等の映像表示装置へ離れた位置に設置されたビデオデッキなどのＶＴＲ装置から映像・音声信号を光信号によって伝送する光無線通信システムを図１２に示す。
光送信装置４はＶＴＲ装置３１に、光受信装置５は映像表示装置３２に接続される。光送信装置４はＶＴＲ装置３１からの映像・音声信号を光信号に変換して送出し、光受信装置５は光送信装置４からの光信号を受信して映像・音声信号を復元し、映像表示装置３２へ伝送することによって、ＶＴＲ装置３１が映像表示装置３２から離れた位置に設置してある場合でも、ケーブルを使わずにＶＴＲ装置３１で再生された画像を映像表示装置３２で見ることが可能となる。
【００２９】
この設置条件では、従来の機器では、ユーザーがリモコン操作を行う際、ＶＴＲ装置３１と映像表示装置３２とのそれぞれの機器によって異なる方向にリモコンを向ける必要がある。
本実施例では、ＶＴＲ装置用のリモコン装置１７ｂから送信される、ＶＴＲ装置３１制御用のリモコン信号Ｒｖを、映像表示装置３２、あるいは光受信装置５に設けられたリモコン信号受信部２ｂによって受信する。光受信装置５は受信されたリモコン信号Ｒｖによってパイロット光Ｐ（光受信装置５から光送信装置４に対して光軸調整のために送出されるパイロット光）を変調し、変調されたパイロット光Ｐを光送信装置４へ送信する。光送信装置４は受信したパイロット光Ｐからリモコン信号Ｒｖを復元し、ＶＴＲ装置３１に出力する。
【００３０】
これにより、本実施例では、ＶＴＲ装置用のリモコン装置１７ｂをＶＴＲ装置３１の方向に向けずに映像表示装置３２の方向に向けてリモコン操作を行った場合でも、正確にＶＴＲ装置３１を制御できる。
なお、リモコン信号受信部２ｂは、ＶＴＲ装置３１制御用のリモコン信号Ｒｖと、映像表示装置用のリモコン装置１７ａから送信される映像表示装置３２制御用のリモコン信号Ｒｔとの両方を受信できる構成としてもよい。
【００３１】
上記の実施の形態は、映像・音声信号を映像表示部へ伝送する光無線通信システムに係わるものであるが、光無線通信システムに接続される機器は映像表示装置に限定しなくて良い。本発明により、例えば、音声信号のみ、またはデータ信号などを光無線によって伝送する機器間において、一方の機器から、他方の機器を制御する信号を、光軸調整のためのパイロット光を用いて他方の機器に伝送することが可能となる。
【図面の簡単な説明】
【００３２】
【図１】本発明に係る光無線通信システムの第１の実施の形態を示す構成図である。
【図２】図１の光送信装置の主要部を示す構成図である。
【図３】図１の光受信装置の主要部を示す構成図である。
【図４】従来の分離型映像表示装置を示す構成図である。
【図５】従来の光無線通信システムを示す構成図である。
【図６】第1の実施の形態における光軸調整手順を実現するプロック図の一例である。
【図７】第1の実施の形態における光軸調整の際の、受信光のスポットの動作を示す図である。
【図８】第1の実施の形態における光軸調整手順を示すフローチャートである。
【図９】家電製品協会が推奨するリモコン信号のフォーマットを示す図である。
【図１０】ＡＳＫ変調回路のブロック図である。
【図１１】ＡＳＫ復調回路のブロック図である。
【図１２】本発明に係る光無線通信システムの第３の実施の形態を示す構成図である。
【符号の説明】
【００３３】
１  映像供給部
２  映像表示部
２ａ  映像表示装置用リモコン信号受信部
２ｂ  ＶＴＲ装置用リモコン信号受信部
３  専用接続ケーブル
４  光送信装置
５  光受信装置
６、１５  発光素子
７、１０、１３  光学素子
８  光送信装置の発光部
９、１２  受光素子
１１  光受信装置の受光部
１４  光送信装置の広指向受光部
１６  光受信装置の広指向発光部
１７  ワイヤレスリモコン装置
１７ａ  映像表示装置用のリモコン装置
１７ｂ  ＶＴＲ装置用のリモコン装置
１８  ４分割ＰＤ
１９、２０、２１、２２  アンプ
２３  スイッチ
２４  検波回路
２５  レベル検出回路
２６  マイクロプロセッサ
２７、２８  Ｄ／Ａコンバータ
２９、３０  アクチュエータ駆動回路
３１  ＶＴＲ装置
３２  映像表示装置
Ｒ  映像表示装置制御用のリモコン信号
Ｒｖ  ＶＴＲ装置制御用のリモコン信号
Ｒｔ  映像表示装置制御用のリモコン信号
Ｐ  パイロット光
【図１】
2004260811.tif 000003
【図２】
2004260811.tif 000004
【図３】
2004260811.tif 000005
【図４】
2004260811.tif 000006
【図５】
2004260811.tif 000007
【図６】
2004260811.tif 000008
【図７】
2004260811.tif 000009
【図８】
2004260811.tif 000010
【図９】
2004260811.tif 000011
【図１０】
2004260811.tif 000012
【図１１】
2004260811.tif 000013
【図１２】
2004260811.tif 000014